(57)【要約】【課題】秤量皿４５からこぼれ落ちた試料の清掃が簡単な秤量装置を提供する。【解決手段】筐体５０の上面に固定される保護板１０と、環状の隆起部と、保護板の開口に重なる開口と、この開口の周縁において隆起部の隆起方向に突出する突出部と、保護板の突部に係合する係合部と、を有し、保護板１０の上に配置されるトレー部２０と、トレー部２０の隆起部に位置決めされる側面風防体３０と、スライダをスライドさせて皿受部材本体と荷重伝達部端部との結合又は結合の解除が可能な皿受部材４０と、皿受部材４０で支持される秤量皿４５とを備える。秤量皿４５、皿受部材４０、側面風防体３０及びトレー部２０は工具なしで取り外すことができ、トレー部２０に溜まった汚れを簡単に清掃できる。【選択図】図２
2017198469.tif 000002
【特許請求の範囲】
【請求項１】
荷重計量部と該荷重計量部に被計量物の重量を伝える荷重伝達部とが筐体に収容され、前記荷重伝達部の端部が前記筐体の上面の開口に臨むように配置され、前記端部に秤量皿を支える皿受部材が結合され、被計量物が載置される秤量皿の周囲に側面風防体が配置される秤量装置であって、
前記筐体の開口に重なる開口と、係合用の突部と、を有し、前記筐体の上面に固定される保護板と、
前記側面風防体の下縁を位置決めする環状の隆起部と、前記保護板の開口に重なる開口と、該開口の周縁において前記隆起部の隆起方向に突出する突出部と、前記保護板の前記係合用の突部に係合する係合部と、を有し、前記保護板の上に配置されるトレー部と、
を備え、
前記側面風防体は、その下縁の側が前記隆起部に当接するように前記トレー部の上に載置されることを特徴とする秤量装置。
【請求項２】
請求項１に記載の秤量装置であって、前記皿受部材は、前記荷重伝達部の前記端部に固定されたフランジ付きピンのフランジ部が挿通可能な貫通孔を有する皿受部材本体を備え、前記皿受部材本体は、前記貫通孔に前記フランジ付きピンが貫通した状態で前記端部に結合され、前記端部との結合が解除されたときに前記フランジ付きピンから取り外されることを特徴とする秤量装置。
【請求項３】
請求項２に記載の秤量装置であって、前記皿受部材は、さらに、前記フランジ付きピンの軸部が挿通可能で前記フランジ部が挿通不可能な幅の長孔と前記フランジ部が挿通可能な挿通孔とが連通した連通孔を有するスライダを備え、前記皿受部材本体と前記荷重伝達部端部との結合又は結合の解除が、前記スライダを前記皿受部材本体の上面上でスライドさせて行われることを特徴とする秤量装置。
【請求項４】
請求項１に記載の秤量装置であって、前記トレー部は、前記環状の隆起部の外側に拡がる平板部を有し、前記突出部を周縁に有する開口以外には開口を持たないことを特徴とする秤量装置。
【請求項５】
請求項１に記載の秤量装置であって、前記保護板は、前記係合用の突部として、該保護板を前記筐体の上面に固定するネジの頭部と、周縁の一部を折り曲げた折り曲げ片とを有し、前記トレー部は、前記突部に係合する係合部として、前記ネジの頭部を収容する凹部と、前記折り曲げ片に当接する縁部とを有することを特徴とする秤量装置。
【請求項６】
請求項１に記載の秤量装置であって、前記側面風防体は、下縁の半径よりも上縁の半径の方が小さいリング形状を有し、前記下縁の側が前記トレー部の隆起部の外周に当接することを特徴とする秤量装置。
【発明の詳細な説明】
【技術分野】
【０００１】
本発明は、計量中に秤量皿からこぼれ落ちた液体試料や粉体試料等の清掃を容易に実施できる秤量装置に関する。
【背景技術】
【０００２】
分解能が高い秤量装置では、筐体と秤量皿との隙間に空気の流れが入り込むと、秤量皿に作用する風の力で測定誤差が生じることが知られており、これを避けるため、秤量皿の周囲を塞ぐ側面風防体を配置することが従来から行われている
下記特許文献１には、秤量皿を支える皿受部材を荷重伝達部に取付けたまま、側面風防体の取付け・取り外しが可能な秤量装置が記載されている。
この装置では、図１２（ａ）に示すように、円環状の側面風防体７０が、内円の半径方向に延びる４つの係合片７０１、７０２、７０３、７０４を有し、係合片７０１、７０２、７０３、７０４を除く内円部分は開口している。一方、筐体５０の上面には、図１２（ｂ）に示すように、係合片７０１、７０２、７０３、７０４の位置を決める位置決め部材６０１、６０２、６０３、６０４が固定されている。
【０００３】
側面風防体７０を取付けるときは、図１２（ｂ）に示すように、荷重伝達部に固定された皿受部材９０４が側面風防体７０の内円の開口部分を通るように側面風防体７０を筐体５０の上から降下させて筐体５０の上面に置く。次いで、図１２（ｃ）に示すように、係合片７０１、７０２、７０３、７０４が位置決め部材６０１、６０２、６０３、６０４と係合するように側面風防体７０を回転させて、側面風防体７０を筐体５０の上面に固定する。また、逆の手順で、皿受部材９０４を取付けたまま、側面風防体７０を取り外す。
この装置では、筐体上面に落ちた試料等を掃除するとき、側面風防体７０の取り外しが容易である。
【先行技術文献】
【特許文献】
【０００４】
【特許文献１】特開２０１５−１９０９６０号公報
【発明の概要】
【発明が解決しようとする課題】
【０００５】
しかし、取り付けたままの皿受部材９０４は、筐体上面の掃除の邪魔になる。また、側面風防体７０を取り外した後の位置決め部材６０１、６０２、６０３、６０４の隙間に粉体等が入り込んで取れなくなることがある。こうした場合、筐体上面を斜めにして隙間の粉体等を掃き出したりすると、秤量の再開時に装置の再調整が必要になる。
【０００６】
本発明は、こうした事情を考慮して創案したものであり、秤量皿からこぼれ落ちた試料等の清掃が簡単に実施できる秤量装置を提供することを目的としている。
【課題を解決するための手段】
【０００７】
本発明は、荷重計量部とこの荷重計量部に被計量物の重量を伝える荷重伝達部とが筐体に収容され、荷重伝達部の端部が筐体の上面の開口に臨むように配置され、この端部に秤量皿を支える皿受部材が結合され、被計量物が載置される秤量皿の周囲に側面風防体が配置される秤量装置であって、
筐体の開口に重なる開口と、係合用の突部と、を有し、筐体の上面に固定される保護板と、
側面風防体の下縁を位置決めする環状の隆起部と、保護板の開口に重なる開口と、この開口の周縁において隆起部の隆起方向に突出する突出部と、保護板の突部に係合する係合部と、を有し、保護板の上に配置されるトレー部と、
を備え、側面風防体は、その下縁側が隆起部に当接するようにトレー部の上に載置されることを特徴とする。
この秤量装置では、トレー部上に落ちた試料を簡単に掃除することができる。
【０００８】
また、本発明の秤量装置では、皿受部材は、荷重伝達部の端部に固定されたフランジ付きピンのフランジ部が挿通可能な貫通孔を有する皿受部材本体を備え、この皿受部材本体は、貫通孔にフランジ付きピンが貫通した状態で荷重伝達部の端部に結合され、その端部との結合が解除されたときにフランジ付きピンから取り外される。
この秤量装置では、秤量皿、皿受部材、側面風防体、及びトレー部を工具なしで取り外すことができる。
【０００９】
また、本発明の秤量装置では、皿受部材は、さらに、フランジ付きピンの軸部が挿通可能でフランジ部が挿通不可能な幅の長孔とフランジ部が挿通可能な挿通孔とが連通した連通孔を有するスライダを備え、皿受部材本体と荷重伝達部端部との結合又は結合の解除が、スライダを皿受部材本体の上面上でスライドさせて行われる。
スライダをスライドさせることで、皿受部材本体を工具なしで取り付けたり、取り外したりすることができる。
【００１０】
また、本発明の秤量装置では、トレー部は、環状の隆起部の外側に拡がる平板部を有しており、突出部を周縁に有する前記開口以外には開口を持たない。
秤量皿からこぼれ落ちた試料はトレー部の上に溜まるので、トレー部を取り外して簡単に清掃できる。
【００１１】
また、本発明の秤量装置では、保護板は、係合用の突部として、保護板を筐体の上面に固定するネジの頭部と、周縁の一部を折り曲げた折り曲げ片とを有し、トレー部は、この突部に係合する係合部として、ネジの頭部を収容する凹部と、折り曲げ片に当接する縁部とを有している。
保護板を固定する六角ボルト等のネジの頭部にトレー部の凹部が嵌り、保護板の折り曲げ片にトレー部の縁部が当接するようにトレー部を保護板上に置けば、トレー部の保護板に対する位置が決まる。
【００１２】
また、本発明の秤量装置では、側面風防体は、下縁の半径よりも上縁の半径の方が小さいリング形状を有しており、その下縁の側がトレー部の隆起部の外周に当接する。
隆起部の外径と側面風防体の内径との間に多少の誤差があっても、側面風防体の内面がテーパーを持つことで、隆起部と側面風防体とがガタツキ無く当接できる。
【発明の効果】
【００１３】
本発明の秤量装置では、秤量皿からこぼれ落ちた試料の清掃を簡単に行うことが可能である。
【図面の簡単な説明】
【００１４】
【図１】本発明の実施形態に係る秤量装置の斜視図
【図２】図１の装置の分解斜視図
【図３】図２の保護板を拡大して示す図
【図４】図３の保護板を筐体に固定した状態を示す図
【図５】図２のトレー部を拡大して示す図
【図６】図４の状態に図５のトレー部を載置した状態を示す図
【図７】図２の側面風防体を拡大して示す図
【図８】図６の状態に図７の側面風防体を載置した状態を示す図
【図９】図２の皿受部材を拡大して示す図
【図１０】図８の状態に図９の皿受部材を結合した状態を示す図
【図１１】図２の秤量皿を拡大して示す図
【図１２】従来の側面風防体を示す図
【発明を実施するための形態】
【００１５】
図１は、本発明の実施形態に係る秤量装置を示し、それを分解した図を図２に示している。
この秤量装置は、装置の筐体５０の上面に固定される保護板１０と、保護板１０の上に配置されるトレー部２０と、秤量皿４５の周囲に配置される側面風防体３０と、秤量皿４５を支える皿受部材４０とを有している。
筐体５０の内部には、秤量皿４５に載る被計量物の質量を計測する荷重計量部と、被計量物に作用する重力（被計量物の重量）を荷重計量部に伝える荷重伝達部とが収容され、荷重伝達部の端部が筐体上面の開口に露出している。
【００１６】
保護板１０は、図３に示すように、筐体５０の上面よりも僅かに狭い略四角の外形を有しており、中央に、筐体５０の開口に重なる開口１１を備え、その両側に、保護板１０を筐体５０の上面にネジ固定するための一対のネジ穴１２が形成されている。また、保護板１０の四隅の周縁が上方に折り曲げられて、トレー部２０を位置決めするための折り曲げ片１３が形成されている。
図４は、六角形状の頭部を有する六角ボルト１４をネジ穴１２に螺合して保護板１０を筐体５０上面に固定した状態を示している。
なお、六角ボルトの頭部の頂面は平らであり、清掃作業がし易いという利点がある。また、六角ボルト１４は、筐体５０内部で荷重計量部に接触しており、荷重計量部と電気的に同電位に保たれる。これは、後述するように、静電気対策のためである。
【００１７】
トレー部２０は、図５の斜視図（図５（ａ））、及び、そのＡＡ位置の断面図（図５（ｂ））に示すように、略正方形の平板で構成され、その平板面に環状の隆起部２１と、中心の開口２２と、開口２２の周縁で隆起部２１の隆起方向と同じ向きに突出する突出部２３と、保護板１０を固定する六角ボルト１４の頭部に係合する係合部２４とを備えている。係合部２４は、六角ボルト１４に対向する裏面側に、この六角ボルト１４の頭部が嵌合する凹部を備えている。また、隆起部２１の外周には、後述するように、側面風防体３０の下縁側が当接するが、この側面風防体３０がトレー部２０の平板面上からはみ出ないように、隆起部２１の直径は平板面の辺の長さより短く設定されている。
なお、トレー部２０は、開口２２以外に開口を有していない。
【００１８】
図６は、筐体５０に保護板１０が六角ボルト１４で固定され、その上にトレー部２０が載置された状態を示している。このとき、トレー部２０は、係合部２４の位置が六角ボルト１４の位置に合うように載置される。それにより、六角ボルト１４の頭部は係合部２４の凹部に嵌合し、また、トレー部２０の辺縁は保護板１０の折り曲げ片１３の端部に当接する。そのため、トレー部２０の保護板１０に対する位置が規定される。
【００１９】
側面風防体３０は、図７の斜視図（図７（ａ））、及び、断面図（図７（ｂ））に示すように、下縁３１の直径よりも上縁３２の直径の方が小さい、中空の円錐台形状のリングから成る。下縁３１の内側の直径は、トレー部２０の隆起部２１の外側に嵌るように設定され、上縁３２の内側の直径は、秤量皿４５の外周との間に隙間が生じるように設定されている。
図８は、側面風防体３０がトレー部２０の隆起部２１の外側に当接するように配置された状態を示している。このとき、側面風防体３０の内径が隆起部２１の外径と精確に一致していなくても、側面風防体３０の内面がテーパーを持つことで、隆起部２１と側面風防体３０とがガタツキ無く当接できる。
【００２０】
また、金属板から成る側面風防体３０、トレー部２０及び保護板１０は、側面風防体３０がトレー部２０に接触し、また、トレー部２０が保護板１０に接触しているため、これらは、保護板１０を筐体５０に固定する六角ボルト１４を通じて荷重計量部と同電位に維持される。そのため、側面風防体３０、トレー部２０又は保護板１０が静電気を帯びることに起因する計量誤差が回避できる。
【００２１】
皿受部材４０には、国際公開番号ＷＯ２０１４０５０４０３に記載されているものを使用した。この皿受部材４０は、図９に示すように、皿受部材本体４１と、この皿受部材本体４１を荷重伝達部の端部１０１に結合する際に操作されるスライダ４２とを有している。
皿受部材本体４１は、荷重伝達部の端部１０１に固定されるフランジ付きピン９のフランジ部９１が挿通可能な貫通孔４１２を備える。一方、スライダ４２は、フランジ付きピン９の軸部９２が挿通可能でフランジ部９１が挿通不可能な幅の長孔４２２とフランジ部９１が挿通可能な挿通孔４２３とが連通した連通孔４２０を備える。
【００２２】
皿受部材本体４１を荷重伝達部の端部１０１に結合するときは、皿受部材本体４１の貫通孔４１２とスライダ４２の挿通孔４２３とを重ね合わせ、それらの孔に、荷重伝達部の端部１０１に固定されたフランジ付きピン９のフランジ部９１を通し、次いで、スライダ４２を皿受部材本体４１の上面上でスライドさせて、フランジ付きピン９の軸部９２が長孔４２２の位置に移動するように操作する。
その状態では、フランジ付きピン９のフランジ部９１がスライダ４２の長孔４２２を下方に通り抜けることができないため、皿受部材本体４１及びスライダ４２は、荷重伝達部の端部１０１に結合される。
【００２３】
結合を解除するときは、スライダ４２を皿受部材本体４１の上面上でスライドさせて、フランジ付きピン９の軸部９２が挿通孔４２３の位置に移動するように操作し、スライダ４２の挿通孔４２３と皿受部材本体４１の貫通孔４１２とが重なる状態で皿受部材本体４１とスライダ４２とをフランジ付きピン９から引き抜く。
図１０は、筐体５０の上面に保護板１０、トレー部２０、側面風防体３０、及び、皿受部材４０が結合された状態を示している。
【００２４】
秤量皿４５は、図１１の斜視図（図１１（ａ））及び断面図（図１１（ｂ））に示すように、外周が僅かに盛り上がっている。
図１は、皿受部材４０の上に秤量皿４５を載置した完成状態を示している。
【００２５】
このように、この秤量装置では、秤量皿４５、皿受部材４０、側面風防体３０及びトレー部２０を、工具を使わずに簡単に取り外すことができる。
そのため、秤量装置の清掃が容易である。
また、この装置では、トレー部２０が、環状の隆起部２１と、開口２２周縁の突出部２３とを備えており、隆起部２１と突出部２３との間に孔がないため、秤量皿４５からこぼれ落ちた粉体試料や液体試料等は、秤量皿４５と側面風防体３０との隙間から落下して、トレー部２０の隆起部２１と突出部２３との間に溜まる。
このトレー部２０を取り外し、汚れを布で拭き取ったり、水で洗い流したりすることで、清掃が簡単に実施できる。
トレー部２０の隆起部２１は、汚れを外へ逃がさない機能と、側面風防体３０の取付け機能とを兼ねている。
また、秤量皿４５、皿受部材４０、側面風防体３０及びトレー部２０は、各種秤量装置で共通に利用することができ、部品共通化による経済効果を得ることができる。
【産業上の利用可能性】
【００２６】
本発明の秤量装置は、秤量の際の汚れを簡単に清掃することが可能であり、被計量物として粉体や液体等を扱う分野や、種々の製造現場等で広く利用することができる。
【符号の説明】
【００２７】
９      フランジ付きピン
１０    保護板
１１    開口
１２    ネジ穴
１３    折り曲げ片
１４    六角ボルト
２０    トレー部
２１    隆起部
２２    開口
２３    突出部
２４    係合部
３０    側面風防体
３１    下縁
３２    上縁
４０    皿受部材
４１    皿受部材本体
４２    スライダ
４５    秤量皿
５０    筐体
９１    フランジ部
９２    軸部
１０１  荷重伝達部の端部
４１２  貫通孔
４２０  連通孔
４２２  長孔
４２３  挿通孔
【図１】
2017198469.tif 000003
【図２】
2017198469.tif 000004
【図３】
2017198469.tif 000005
【図４】
2017198469.tif 000006
【図５】
2017198469.tif 000007
【図６】
2017198469.tif 000008
【図７】
2017198469.tif 000009
【図８】
2017198469.tif 000010
【図９】
2017198469.tif 000011
【図１０】
2017198469.tif 000012
【図１１】
2017198469.tif 000013
【図１２】
2017198469.tif 000014